(57)【要約】      （修正有）【課題】使用者が可動シートを下げて傘を折り畳む時、手指が縒り合わせ部に接触して怪我をするのを防止し、安全性を高める傘を提供する。【解決手段】この傘は、中棒、該中棒底端に結合された柄、及び該中棒に嵌合された受骨連接機構３０を包含し、該受骨連接機構が該中棒に可動に嵌合された可動シート３１、金属線、及び防護部材３３を包含する。複数の受骨の内端が該可動シートに接続され、該金属線がこれら受骨に通された後に、該金属線の両端が縒り合わされて縒り合わせ部３２１が形成され並びに上向きに折り曲げられ、該防護部材が該可動シートに係合されて、該防護部材の直立部３３１が該縒り合わせ部に当接し、使用者が該可動シートを下に引張り該傘を閉じる時、手指が該縒り合わせ部に接触して怪我をするのを防止し、十分に安全である。【選択図】図５
0003161404.tif 000002
【実用新案登録請求の範囲】
【請求項１】
傘において、
該傘は、中棒、該中棒底端に結合された柄、該中棒の上端に結合された親骨連接機構、該中棒に嵌合された受骨連接機構を包含し、
該受骨連接機構は、該中棒に可動に嵌合された可動シート、金属線、及び該可動シートに取付けられた防護部材を包含し、
該可動シートは環体と、該環体に複数が離間設置されると共にそれぞれ受骨の内端を収容する縦向き凹溝と、該環体に設置されこれら縦向き凹溝に連通する環状凹溝と、該環体周囲より突出する凸塊と、該凸塊に設置された貫通孔と、該貫通孔内壁面に位置する突出部とを有し、
該金属線は、これら受骨の内端に通され、並びに該環状凹溝中に位置して環体を緊密に緊縛し、該金属線の両端は互いに縒り合わされて縒り合わせ部を形成し、並びに上向きに折り曲げられ、
該防護部材は、該貫通孔に通され且つ該縒り合わせ部に当接する直立部と、該直立部の底端より延伸され且つ該突出部の底面に抵触するストッパ片、及び該直立部と該ストッパ片との間に形成されて該突出部と係合する凹部を有することを特徴とする傘。
【請求項２】
請求項１記載の傘において、該直立部の内側面に、上から下に漸次該金属線に接近する傾斜面が形成されたことを特徴とする傘。
【考案の詳細な説明】
【技術分野】
【０００１】
本考案は一種の傘に係り、特に防護部材が結合された傘であって、傘の使用の安全性を効果的に高めたものに関する。
【背景技術】
【０００２】
図１、２に示されるように、周知の傘は中棒１０の底端に柄２０が結合され、該中棒１０に可動に受骨連接機構３０が嵌合され、該中棒１０の上端に親骨連接機構４０が接続されている。該受骨連接機構３０には複数の受骨５０の内端が接続され、該親骨連接機構４０には複数の親骨６０の内端が接続されている。これら受骨５０の外端はこれら親骨６０の外端に枢接され、且つ該親骨連接機構４０の上に石突７０が嵌合されている。これら親骨６０の上面には共同で太陽光或いは雨を遮る傘布（図示せず）が接続されている。該受骨連接機構３０は、可動シート３０１、金属線３０２、該可動シート３０１に設置された複数の縦向き凹溝３０３、及び該可動シート３０１に設けられた環状凹溝３０４を具えている。これら受骨５０の内端はこれら縦向き凹溝３０３に組み付けられ、該金属線３０２は該受骨５０の内端に通され、該金属線３０２の両端が相互に巻き付けられて縒り合わせ部３０５が形成され、該縒り合わせ部３０５が上向きに折り曲げられると共に、該金属線３０２が緊密に該環状凹溝３０４を緊縛し、これら受骨５０と該可動シート３０１を枢接の状態となし、該中棒１０は該可動シート３０１を挿通する。
【考案の概要】
【考案が解決しようとする課題】
【０００３】
上述の周知の傘において、該金属線３０２がこれら受骨５０に通され並びに該環状凹溝３０４を緊縛した後、これら金属線３０２の両端が縒り合わされてなる縒り合わせ部３０５の端部はとがっており何ら保護装置がないため、使用者が傘を開閉する時、この縒り合わせ部３０５の尖った端部が使用者の手指に突き刺さり、安全性が不足する。
【課題を解決するための手段】
【０００４】
本考案の主要な目的は、一種の傘を提供することにあり、それは、中棒、該中棒底端に結合された柄、該中棒の上端に結合された親骨連接機構、該中棒に嵌合された受骨連接機構、及び該親骨連接機構の上面に接続された傘布を包含し、
該受骨連接機構は、該中棒に可動に嵌合された可動シート、金属線、及び該可動シートに取付けられた防護部材を包含し、
該可動シートは環体と、該環体に複数が離間設置されると共にそれぞれ受骨の内端を収容する縦向き凹溝と、該環体に設置されこれら縦向き凹溝に連通する環状凹溝と、該環体周囲より突出する凸塊と、該凸塊に設置された貫通孔と、該貫通孔内壁面に位置する突出部とを有し、
該金属線は、これら受骨の内端に通され、並びに該環状凹溝中に位置して環体を緊密に緊縛し、該金属線の両端は互いに縒り合わされて縒り合わせ部を形成し、並びに上向きに折り曲げられ、
該防護部材は、該貫通孔に通され且つ該縒り合わせ部に当接する直立部と、該直立部の底端より延伸され且つ該突出部の底面に抵触するストッパ片、及び該直立部と該ストッパ片との間に形成されて該突出部と係合する凹部を有する。
【考案の効果】
【０００５】
本考案によると、該防護部材が該可動シートに止め合わされ、並びに該直立部が該金属線の縒り合わせ部に当接させられ、使用者が該可動シートを下げて傘を折り畳む時、手指が該縒り合わせ部に接触して怪我をするのを防止し、安全性を高める。
【図面の簡単な説明】
【０００６】
【図１】周知の傘の部分組合せ側面図である。
【図２】周知の傘の部分立体分解図である。
【図３】本考案の傘の部分組合せ側面図である。
【図４】本考案の傘の部分立体分解図である。
【図５】本考案の傘の部分組合せ断面図であり、防護部材と可動シートの組合せを示す。
【考案を実施するための形態】
【０００７】
本考案の上述の、及びその他の目的、特徴及び進歩性をよりご理解いただけるように、以下に本考案の好ましい実施例を挙げ、並びに図面を組み合わせて詳しく説明を行う。
【０００８】
図３及び図４を参照されたい。本考案の傘は、中棒１、柄２、受骨連接機構３、親骨連接機構４、複数の受骨５、複数の親骨６を包含する。
【０００９】
該中棒１の底端は該柄２に結合され、該受骨連接機構３は該中棒１に嵌合され、該中棒１の上端に該親骨連接機構４が接続され、該受骨５の内端が該受骨連接機構３に接続され、これら親骨６の内端は該親骨連接機構４に接続され、これら受骨５の外端はさらにこれら親骨６の外端に枢接され、これら親骨６の上面に共同で太陽光及び雨を遮る傘布（図示せず）が接続され、該親骨連接機構４にさらに上向きに石突７が接合されている。本考案の改良部分について以下に説明する。
【００１０】
該受骨連接機構３は、可動に該中棒１に嵌合される可動シート３１、金属線３２、及び該可動シート３１に止め合わされる防護部材３３を包含する。
【００１１】
該可動シート３１は環体３１１と、該環体３１１に複数が離間設置された縦向き凹溝３１２と、該環体３１１に設置され且つこれら縦向き凹溝３１２と連通する環状凹溝３１３と、該環体３１１周囲より突出する凸塊３１４と、該凸塊３１４に設置された貫通孔３１５と、該貫通孔３１５内壁面に位置する突出部３１６とを有する。
【００１２】
該防護部材３３は、直立部３３１と、該直立部３３１の内側面に位置し且つ上から下に漸次該金属線３２に接近する傾斜面３３２と、該直立部３３１の底端より延伸されたストッパ片３３３と、該傾斜面３３２と該ストッパ片３３３の間に形成された凹部３３４とを具えている。
【００１３】
図５に示されるように、組立時には、これら受骨５の内端がこれら縦向き凹溝３１２内に挿入され、該金属線３２がこれら受骨５の内端に通され、並びに該環状凹溝３１３中に繞設されて該環体３１１を締めつけ、該金属線３２の両端は相互に縒り合わされて縒り合わせ部３２１を形成して該縒り合わせ部３２１が上向きに折り曲げられ、該防護部材３３は該直立部３３１が下から上に該貫通孔３１５を通され、該傾斜面３３２の案内により、該直立部３３１が順調に該突出部３１６を通り越し、該凹部３３４が該突出部３１６に係合し、並びに該ストッパ片３３３が該突出部３１６の底面に当接し、該防護部材３３が該可動シート３１に固定され、該直立部３３１が該金属線３２の該縒り合わせ部３２１に当接し、使用者の手が下向きに該可動シート３１を引いて該傘を閉じる時、該防護部材３３の該直立部３３１が使用者の手指が該縒り合わせ部３２１に接触するのを防止し、使用者の手指の怪我を防止する。
【００１４】
総合すると、本考案の進歩性は、該防護部材３３を該可動シート３１に取付けることにより、該直立部３３１を該金属線３２の該縒り合わせ部３２１に当接させて、使用者が該可動シート３１を引き下げて傘を閉じる時に、手指が該縒り合わせ部３２１に接触して怪我をするのを防止することにあり、安全性が十分である。
【００１５】
本考案は好ましい実施例によって以上のように開示されたが、それは本考案を制限するためのものではなく、本考案の精神と範囲内において、本願の技術の属する分野における通常の知識を有する者が行いうる変更と修飾は、いずれも本考案の実用新案登録請求の範囲内にあるものとする。
【符号の説明】
【００１６】
１０  中棒
２０  柄
３０  受骨連接機構
３０１  可動シート
３０２  金属線
３０３  縦向き凹溝
３０４  環状凹溝
３０５  縒り合わせ部
４０  親骨連接機構
５０  受骨
６０  親骨
７０  石突
１  中棒
２  柄
３  受骨連接機構
３１  可動シート
３１１  環体
３１２  縦向き凹溝
３１３  環状凹溝
３１４  凸塊
３１５  貫通孔
３１６  突出部
３２  金属線
３２１  縒り合わせ部
３３  防護部材
３３１  直立部
３３２  傾斜面
３３３  ストッパ片
３３４  凹部
４  親骨連接機構
５  受骨
６  親骨
７  石突
【図１】
0003161404.tif 000003
【図２】
0003161404.tif 000004
【図３】
0003161404.tif 000005
【図４】
0003161404.tif 000006
【図５】
0003161404.tif 000007